(57)【要約】【課題】海上の環境に応じた光を照射することのできる集魚灯を提供する。【解決手段】集魚灯は、ピーク波長が６００ｎｍ以上、６６０ｎｍ以下の範囲内である第一光を出射可能な第一ＬＥＤ素子群と、ピーク波長が５８０ｎｍ以上、６６０ｎｍ以下の範囲内であって、且つ、第一ＬＥＤ素子群よりも短波長の第二光を出射可能な第二ＬＥＤ素子群と、第一ＬＥＤ素子群と第二ＬＥＤ素子群とに対して、個別に通電可能に構成された電源部とを備える。【選択図】        図３Ａ
2019169451.tif 000002
【特許請求の範囲】
【請求項１】
ピーク波長が６００ｎｍ以上、６６０ｎｍ以下の範囲内である第一光を出射可能な第一ＬＥＤ素子群と、
ピーク波長が５８０ｎｍ以上、６６０ｎｍ以下の範囲内であって、且つ、前記第一ＬＥＤ素子群よりも短波長の第二光を出射可能な第二ＬＥＤ素子群と、
前記第一ＬＥＤ素子群と前記第二ＬＥＤ素子群とに対して、各別に通電可能に構成された電源部とを備えたことを特徴とする集魚灯。
【請求項２】
前記第一ＬＥＤ素子群、及び前記第二ＬＥＤ素子群は、いずれも蛍光体を含まない単色ＬＥＤ素子で構成されていることを特徴とする、請求項１に記載の集魚灯。
【請求項３】
前記第一ＬＥＤ素子群から出射される前記第一光のピーク波長の最大光強度は、前記第二ＬＥＤ素子群から出射される前記第二光のピーク波長の最大光強度よりも高いことを特徴とする、請求項１又は２に記載の集魚灯。
【請求項４】
前記第一ＬＥＤ素子群に含まれるＬＥＤ素子数は、前記第二ＬＥＤ素子群に含まれるＬＥＤ素子数よりも多いことを特徴とする、請求項３に記載の集魚灯。
【請求項５】
白色光を出射可能な第三ＬＥＤ素子群を備えたことを特徴とする、請求項１〜４のいずれか１項に記載の集魚灯。
【発明の詳細な説明】
【技術分野】
【０００１】
本発明は、発光ダイオード（ＬＥＤ）素子を備えた集魚灯に関する。
【背景技術】
【０００２】
従来、サンマやイカなどを効率的に漁獲するため、これらの対象とする魚種を誘引するために集魚灯が広く用いられている。このような集魚灯には、これまで白熱電球やメタルハライドランプ等が主に使用されていたが、より低い消費電力で長寿命な集魚灯を実現するため、近年では、ＬＥＤを用いた集魚灯の開発が進んでいる（例えば、下記特許文献１参照）。
【先行技術文献】
【特許文献】
【０００３】
【特許文献１】特開２０１７−０５０２８３号公報
【発明の概要】
【発明が解決しようとする課題】
【０００４】
ところで、漁獲に好ましい光の波長帯は、対象魚の魚種によって異なることが経験的に知られている。また、魚種によっては、光に向かって順方向に進むもの、逆方向に進むもの、及びその中間のような動きをするものが存在することも知られている。
【０００５】
光に向かって順方向に進む魚種の例として、サンマが知られている。図１Ａ〜図１Ｃを参照して、集魚灯を用いたサンマの網漁の一例を説明する。この方法は、棒受網漁法として知られている。棒受網漁法は夜間に行われる。
【０００６】
漁船６１に設けられた白色光のサーチライト（不図示）を点灯し、対象魚（ここではサンマ５５）の探索を行い、漁船６１の近くまで誘導させる。次に、図１Ａに示すように、サーチライトを消灯し、一方の舷（ここでは右舷とする）に設けられた集魚灯７０を点灯して白色光７１を海上から海中５１に向けて照射する。反対側の舷（ここでは左舷）側には網６２を海中５１内に仕掛けておく。なお、図１Ａにおいて、海面を符号５０で表している。
【０００７】
なお、図１Ａに図示されるように、集魚灯７０は、棒状部材によって漁船６１の船体から側方に張り出すように設けられている。この棒状部材は、図１Ａの紙面奥行き方向に複数本が設置されており、各棒状部材には集魚灯７０が設けられている。図１Ａ〜図１Ｃにおいて、漁船６１の船首側が図示されているものとすると、船首側から船尾側に向けて、複数本の棒状部材が設けられており、各棒状部材に集魚灯７０が設けられている。
【０００８】
なお、反対側の舷（ここでは左舷）にも、集魚灯７０と同様に、集魚灯８０が、複数本の棒状部材に取り付けられている。
【０００９】
次に、集魚灯７０を船尾側から順次消灯し、逆に、集魚灯８０を船首側から順次点灯させる。このとき、サンマ５５は、光の動きに反応して、右舷側から船首側を介して左舷側に移動する（図１Ｂ参照）。なお、この時点において、集魚灯８０からは白色光８１が点灯されている。
【００１０】
サンマ５５を、左舷側、すなわち網６２側に誘導した後、集魚灯８０からの照射光を、白色光８１から赤色光８２に変更する（図１Ｃ参照）。集魚灯８０は、白色光を発する素子（電球）と、赤色光を発する素子（電球）とを備えており、発光させる素子を切り替えることで、照明光を赤色光に変更する。
【００１１】
この色変化に伴い、サンマ５５は、海面５０側へと上昇を開始する。これに合わせて、網６２を矢印ｄ１の向きに引き上げる。これにより、サンマ５５が網６２内に捕獲される。
【００１２】
このように、集魚灯８０は、海上から海面５０に向けて光を照射する。このため、海面５０の上方に海霧が発生するなどの外部環境の変化により、海面５０や、海面５０近傍の海中５１内に十分光が届かない場合がある。また、このような漁は夜間に行われ、且つ、図１Ｃの状況では、白色光が消灯され、網６２側には集魚灯８０からの赤色光８２のみが点灯されているため、海霧が発生すると、漁師が海面５０を視認しにくくなり、サンマ５５が海中５１から海面５０側へと上昇しているかどうかを確認しづらくなるという課題がある。
【００１３】
本発明は、上記の課題に鑑み、海上の環境に応じた光を照射することのできる集魚灯を提供することを目的とする。
【課題を解決するための手段】
【００１４】
本発明の集魚灯は、
ピーク波長が６００ｎｍ以上、６６０ｎｍ以下の範囲内である第一光を出射可能な第一ＬＥＤ素子群と、
ピーク波長が５８０ｎｍ以上、６６０ｎｍ以下の範囲内であって、且つ、前記第一ＬＥＤ素子群よりも短波長の第二光を出射可能な第二ＬＥＤ素子群と、
前記第一ＬＥＤ素子群と前記第二ＬＥＤ素子群とに対して、各別に通電可能に構成された電源部とを備えたことを特徴とする。
【００１５】
前記第二光は、好ましくはピーク波長が５８０ｎｍ以上、６２０ｎｍ以下である。
【００１６】
上記構成によれば、海霧が発生した場合においても、サンマなどの対象魚を海面側に上昇させる効果を高めることができる。詳細は、「発明を実施するための形態」の項で後述される。
【００１７】
前記第一ＬＥＤ素子群、及び前記第二ＬＥＤ素子群は、いずれも蛍光体を含まない単色ＬＥＤ素子で構成されているものとしても構わない。
【００１８】
前記第一ＬＥＤ素子群から出射される前記第一光のピーク波長の最大光強度は、前記第二ＬＥＤ素子群から出射される前記第二光のピーク波長の最大光強度よりも高いものとしても構わない。
【００１９】
波長が短い第一光は、波長の長い第二光よりも水中における透過率が低い。このため、「発明を実施するための形態」の項で後述されるように、海中に向けて光を照射する際に、第二光の強度が極めて高い場合には、対象となる魚を海面側に上昇させる効果が十分に発揮されない場合がある。よって、第一光の強度（より詳細にはピーク波長の最大光強度）、を第二光の強度（より詳細にはピーク波長の最大光強度）よりも高めることで、海霧の発生時においても、魚を海面に対して上昇させる効果を高めることができる。
【００２０】
上記構成において、前記第一ＬＥＤ素子群に含まれるＬＥＤ素子数は、前記第二ＬＥＤ素子群に含まれるＬＥＤ素子数よりも多いものとすることができる。
【００２１】
また、前記集魚灯は、白色光を出射可能な第三ＬＥＤ素子群を備えるものとしても構わない。
【発明の効果】
【００２２】
本発明の集魚灯によれば、海上の環境に応じた光を照射することが可能となる。
【図面の簡単な説明】
【００２３】
【図１Ａ】棒受網漁法を説明するための概念図である。
【図１Ｂ】棒受網漁法を説明するための概念図である。
【図１Ｃ】棒受網漁法を説明するための概念図である。
【図２Ａ】本発明の集魚灯の一例を模式的に示す正面図である。
【図２Ｂ】本発明の集魚灯の一例を模式的に示す平面図である。
【図３Ａ】図２Ｂの一部分を拡大して模式的に示す図面である。
【図３Ｂ】図３ＡのＢ−Ｂ線で切断したときの模式的な断面図である。
【図４Ａ】第一ＬＥＤ素子の発光スペクトルの一例を示す図である。
【図４Ｂ】第二ＬＥＤ素子の発光スペクトルの一例を示す図である。
【図４Ｃ】発光部に搭載されている全てのＬＥＤ素子を同時に点灯させた場合の発光スペクトルの一例を示す図である。
【図５】水の透過率スペクトルを示す図である。
【図６】暗所時の標準比視感度曲線を示す図である。
【図７】本発明の集魚灯の別の例を模式的に示す図である。
【図８Ａ】集魚灯から出射される光の配光を説明するための図である。
【図８Ｂ】集魚灯から出射される光の配光を説明するための図である。
【発明を実施するための形態】
【００２４】
本発明に係る集魚灯につき、図面を参照して説明する。なお、以下の図面は模式的に示されたものであり、実際の寸法比と図面上の寸法比は必ずしも一致しない。
【００２５】
本発明の集魚灯は、図１Ａ〜図１Ｃを参照して上述したように、船体６１に取り付けて利用されるものであり、より詳細には、例えば、集魚灯８０の一部又は全部に代えて用いられるものである。つまり、一方の舷側において、棒状部材に取り付けられ、漁船６１の船体から側方に張り出すように設けられる。なお、本発明の集魚灯を、双方の舷側に取り付けて利用することも可能である。以下において、図１Ａ〜図１Ｃと同一の要素については、同一の符号を参照して説明される。
【００２６】
図２Ａ及び図２Ｂは、本発明の集魚灯の一例を模式的に示す図面であり、図２Ａは正面図であり、図２Ｂは光出射面側から見たときの平面図である。図２Ａ及び図２Ｂに図示されるように、集魚灯１は、複数のＬＥＤ素子（１０，２０）が配列された光源部３を有する。光源部３は、筐体４内に収容されている。筐体４には透光性部材からなる光出射面が設けられており、上述したように、図２Ｂは、この筐体４に設けられた光出射面側から光源部３を見たときの模式的な平面図に対応する。光源部３には複数のフィンで構成されたヒートシンク６が設けられている。
【００２７】
なお、図２Ｂでは、光出射面上における、長手方向をＹ方向、短手方向をＸ方向とし、ＸＹ平面に直交する方向をＺ方向として座標軸を表記している。
【００２８】
図３Ａは、図２Ｂ内の領域Ａの部分を拡大して模式的に示した図面である。また、図３Ｂは、図２Ｂ内の領域Ａを、図３ＡのＢ−Ｂ線で切断したときの模式的な断面図である。図３Ａ及び図３Ｂに図示されるように、光源部３は、基板７上に実装された複数のＬＥＤ素子（１０，２０）を有する。
【００２９】
ＬＥＤ素子１０とＬＥＤ素子２０とは、それぞれ発光波長が異なっている。ＬＥＤ素子１０は、ピーク波長が６００ｎｍ以上、６６０ｎｍ以下の範囲内である第一光Ｌ１を出射可能な素子である。ＬＥＤ素子１０から出射される第一光Ｌ１は、好ましくは、ピーク波長が６２０ｎｍ以上、６６０ｎｍ以下である。ＬＥＤ素子２０は、ピーク波長が５８０ｎｍ以上、６６０ｎｍ以下の範囲内であって、且つ、ＬＥＤ素子１０よりも短波長の第二光Ｌ２を出射可能な素子である。ＬＥＤ素子２０から出射される第二光Ｌ２は、好ましくは、ピーク波長が５８０ｎｍ以上、６２０ｎｍ以下である。以下、ＬＥＤ素子１０を「第一ＬＥＤ素子１０」と呼び、ＬＥＤ素子２０を「第二ＬＥＤ素子２０」と呼ぶ。
【００３０】
本実施形態において、第一ＬＥＤ素子１０は、ピーク波長が６２５ｎｍであり、半値幅が１６ｎｍである単色ＬＥＤ素子であり、蛍光体を含まない。第一ＬＥＤ素子１０の半値幅は、３０ｎｍ以下であるのが好ましく、２０ｎｍ以下であるのがより好ましい。第一ＬＥＤ素子１０の半値幅の下限は任意であるが、例えば、１５ｎｍ以上である。第一ＬＥＤ素子１０の発光スペクトルの一例を図４Ａに示す。
【００３１】
本実施形態において、第二ＬＥＤ素子２０は、ピーク波長が５９０ｎｍであり、半値幅が１６ｎｍである単色ＬＥＤ素子であり、蛍光体を含まない。第二ＬＥＤ素子２０の半値幅は、３０ｎｍ以下であるのが好ましく、２０ｎｍ以下であるのがより好ましい。第二ＬＥＤ素子２０の半値幅の下限は任意であるが、例えば、１５ｎｍ以上である。第二ＬＥＤ素子２０の発光スペクトルの一例を図４Ｂに示す。なお、図４Ａ、並びに以下の図４Ｂ及び図４Ｃにおいて、横軸は波長［ｎｍ］であり、縦軸は光強度の相対値［a.u.］である。
【００３２】
図３Ａに示されるように、光源部３（集魚灯１）は、複数の第一ＬＥＤ素子１０（第一ＬＥＤ素子群）と、複数の第二ＬＥＤ素子２０（第二ＬＥＤ素子群）とを備えている。そして、各ＬＥＤ素子（１０，２０）は、電源部３０から通電制御される。より詳細には、電源部３０は、第一ＬＥＤ素子１０群と、第二ＬＥＤ素子２０群とに対して、それぞれ各別に、すなわち波長別に、通電可能に構成されている。つまり、光源部３（集魚灯１）は、第一ＬＥＤ素子１０群のみを点灯させることも可能であり、第二ＬＥＤ素子２０群のみを点灯させることも可能であり、第一ＬＥＤ素子１０群と第二ＬＥＤ素子２０群との両者を点灯させることも可能である。電源部３０は、各ＬＥＤ素子（１０，２０）が実装されている基板７上に実装されているか、基板７とは別の基板上に実装されている。
【００３３】
本実施形態において、光源部３に搭載されているＬＥＤ素子（１０，２０）に関し、第一ＬＥＤ素子１０の実装数が、第二ＬＥＤ素子２０の実装数よりも多くなっている。これにより、両者を点灯させた場合に、第一ＬＥＤ素子群１０から出射される第一光Ｌ１のピーク波長の最大光強度は、第二ＬＥＤ素子群２０から出射される第二光Ｌ２のピーク波長の最大光強度よりも高くなる。
【００３４】
図４Ｃは、全てのＬＥＤ素子（１０，２０）を点灯させたときの発光スペクトルの例である。なお、図４Ｃでは、便宜的に、第一ＬＥＤ素子１０群から出射される第一光Ｌ１のスペクトルと、第二ＬＥＤ素子２０群から出射される第二光Ｌ２のスペクトルとを分離して表示されているが、全てのＬＥＤ素子（１０，２０）を点灯した場合には、実際は、光源部３（集魚灯１）からは、両スペクトルを重ね合わせた光が出射される。
【００３５】
本発明の集魚灯１は、例えば、光源部３が収容された筐体４が、一個又は複数個、棒状部材に取り付けられることで、図１Ａの集魚灯８０と同様に、漁船６１の船体から側方に張り出すように設けられている。
【００３６】
かかる構成の集魚灯１によれば、海上の環境に応じて適切な光を照射することで、対象魚を海面側に上昇させる効果を高めることができる点につき、以下説明する。なお、以下では、図１Ａ〜図１Ｃに図示された、集魚灯８０に代えて、上記集魚灯１が複数備えられているものとして説明する。
【００３７】
（海霧が発生していない場合）
図１Ａ及び図１Ｂを参照して上述したのと同様の方法で、サンマ５５を、網６２が設けられている側（ここでは左舷側）に誘導する。なお、本発明の集魚灯１は、一部に白色光を照射する第三ＬＥＤ素子（不図示）が設けられていても構わないし、白色光を出射可能な別の集魚灯が船体６１に設けられているものとしても構わない。
【００３８】
次に、白色光を消灯し、第一ＬＥＤ素子１０群のみを点灯する。第一ＬＥＤ素子１０群は、上述したように、ピーク波長が６００ｎｍ以上、６６０ｎｍ以下の範囲内である第一光Ｌ１を出射する素子であり、この光は赤色系統の光である。かかる光が海上から海面５０に向けて照射されると、上述したように、サンマ５５は海面５０に向けて上昇を始める。
【００３９】
サンマ５５などの魚は、夜間の漁の開始時、すなわち白色光を照明する前の状態においては、暗順応状態となっている。しかし、図１Ａ〜図１Ｂのように白色光が海上から海中５１に向けて照射される状態下において、海中５１の照度が上がることで、徐々に明るさに対する順応度が高まる。この状態下で白色光を急に消灯し、赤色系統の第一ＬＥＤ素子１０群からの光を照射すると、サンマ５５は、周囲が急に暗くなったと認識し、光を求めて移動を始める。
【００４０】
図５は水の透過率スペクトルを示すグラフである。図５に示すように、波長が６００ｎｍ近傍より長波長の領域において、透過率が急激に低下し、６２０ｎｍ以上の領域では、極めて低い透過率を示している。なお、図５は純水における透過率スペクトルである一方で、実際に光が照射されるのは海水であるが、光が照射されることで海水に含まれる不純物で散乱することに鑑みると、図５の透過率スペクトルが全体として低下する傾向を示す。つまり、海水の透過率スペクトルは、ほぼ図５と同様の傾向を示すといえる。
【００４１】
つまり、６００ｎｍ以上、６６０ｎｍ以下の範囲内である第一光Ｌ１を、海上から海面５０に向けて照射すると、この光は海水による吸収が大きいため、海面５０から深い位置までは光が到達しない。すなわち、海面５０の近傍のみが明るく、海面５０から少し離れた海中５１内は暗いままである。よって、サンマ５５は、明るい海面５０に向けて上昇をするものと推定される。
【００４２】
なお、仮に５００ｎｍ前後のいわゆる青色系統の光を海上から海中５１に向けて照射した場合、この波長域の光は、図５に示すように、上記第一光Ｌ１の波長帯と比べて水に対する透過率が高い。このため、このような青色光は、海面５０からある程度深い位置にまで届くため、海中５１の図１Ｂの時点で誘導されたサンマ５５が存在する位置の明るさと、海面５０の明るさに大きな差が存在しない。このため、青色光を照射した場合は、第一光Ｌ１を照射した場合と比較して、サンマ５５は、海面５０に向けて上昇する傾向を示さないものと考えられる。
【００４３】
図６は、暗所時の標準比視感度曲線を示すグラフである。図６において、横軸は波長であり、縦軸は比視感度である。縦軸は、暗所時においてヒトの目が最大感度となる波長での感じる強さを１とし、他の波長の明るさを感じる度合いを相対値で表したものである。暗所時においては、最大視感度が５０７ｎｍであるとされている。
【００４４】
図６に示すように、波長が５０７ｎｍを超える範囲内においては、光の波長が長くなるほど比視感度は急激に低下する。上述したように、サンマ５５の漁は夜間に行われるため、集魚灯１から第一光Ｌ１を照射して、サンマ５５を海面５０側に向けて上昇させている時点において、漁師は、この第一光Ｌ１を頼りにサンマ５５の存在を確認することになる。つまり、第一光Ｌ１の波長があまりに長い場合には、視感度が低いためサンマ５５の存在を視認しくくなってしまう。このため、第一光Ｌ１の波長は、６６０ｎｍ以下であるのが好ましく、６３５ｎｍ以下であるのがより好ましい。
【００４５】
（海霧が発生している場合）
図１Ａ及び図１Ｂを参照して上述したのと同様の方法で、サンマ５５を、網６２が設けられている側（ここでは左舷側）に誘導する。なお、本発明の集魚灯１は、一部に白色光を照射するＬＥＤ素子（不図示）が設けられていても構わないし、白色光を出射可能な別の集魚灯が船体６１に設けられているものとしても構わない。
【００４６】
次に、白色光を消灯し、第一ＬＥＤ素子１０群と第二ＬＥＤ素子２０群の双方を点灯する。このときの発光スペクトルは例えば図４Ｃを参照して上述したような状態となる。第一ＬＥＤ素子１０は、上述したように、ピーク波長が６００ｎｍ以上、６６０ｎｍ以下の範囲内である第一光Ｌ１を出射する素子であり、この光は赤色系統の光である。一方、第二ＬＥＤ素子２０は、ピーク波長が５８０ｎｍ以上であって、且つ、第一ＬＥＤ素子１０から出射される第一光Ｌ１よりは短波長の第二光Ｌ２を出射する素子である。具体的には、第二光Ｌ２は、ピーク波長が５８０ｎｍ以上、６２０ｎｍ以下であり、この光は橙色系統、アンバー色系統の光である。なお、色系統名称の表記は、視認する人間によって感じ方が異なるため、あくまで一例である。
【００４７】
海霧が発生した場合、第一ＬＥＤ１０から出射される第一光Ｌ１の一部は、海面５０よりも上方の位置に存在する霧の粒子によって吸収、散乱されてしまう。この結果、海面５０に到達する光量が、海霧が発生していない場合よりも低下する。このため、仮に第一ＬＥＤ素子１０のみを点灯している場合には、海面５０の照度が低下する結果、海面５０の照度がサンマ５５が存在する海中５１の照度と相違ない状態となるため、サンマ５５が海面５０に向けて上昇する傾向を示しにくい。
【００４８】
一方、第一光Ｌ１よりも少し波長の短い第二光Ｌ２は、第一光Ｌ１と比較すると霧の粒子による散乱・吸収がされにくい。下記表１は、水に対する光の消散係数を示すものであるが、波長が長いほどその値が大きくなることが分かる。消散係数は、光の進行距離に対する強度の減衰割合を示す値である。
【００４９】
【表１】
2019169451.tif 000003
【００５０】
つまり、第二光Ｌ２は、第一光Ｌ１よりも海霧による吸収、散乱が生じにくいため、海面５０に到達し、この結果、海面５０の照度がある程度確保される。
【００５１】
一方で、この第二光Ｌ２の波長を短くしすぎた場合には、図５を参照して上述したように、水に対する透過率が高くなりすぎるため、図１Ｂの時点で誘導されたサンマ５５が存在する海中５１内の明るさと、海面５０の明るさに大きな差が生じず、サンマ５５を海面５０側に誘導する効果が実現しなくなる。かかる観点から、第二光Ｌ２の波長は、５８０ｎｍ以上に設定される。
【００５２】
更に、第二光Ｌ２は、第一光Ｌ１よりも波長が短いため、図６に示すように比視感度が高い。夜間において、海霧が発生すると、漁師は海面５０を極めて視認しにくい状態であるが、第一光Ｌ１よりも比視感度が高い第二光Ｌ２によって海面５０が照射されることで、漁師が海面５０を視認しやすくなるという効果も有する。
【００５３】
なお、集魚灯１は、図７に示すように電源部３０に対して制御信号を送信する切換操作部３１を備えるものとしてもよい。この場合、漁師（操作者）が切換操作部３１を操作することで、電源部３０は、第一ＬＥＤ素子１０群のみに通電するか、第一ＬＥＤ素子１０群及び第二ＬＥＤ素子２０群の双方に対して通電するかの切り換えを行う。なお、本発明の集魚灯１は、第二ＬＥＤ素子２０群のみを点灯可能に構成される場合を排除しない。
【００５４】
光源部３から出射される光の配光角は任意であるが、好ましくは、Ｘ方向に係る配光角θxが９０°〜１２０°であり、Ｙ方向に係る配光角θyが５０°〜７０°である（図８Ａ、図８Ｂ参照）。なお、図８Ａ及び図８Ｂにおいて表記されている座標軸は、図２Ｂの表記と同じである。
【００５５】
［別実施形態］
以下、別実施形態について説明する。
【００５６】
〈１〉集魚灯１は、第一ＬＥＤ素子１０群の発光強度と、第二ＬＥＤ素子２０群の発光強度の比率を調整可能な色調整指示部を備えるものとしても構わない。色調整指示部は、電源部３０に対して制御信号を送信し、電源部３０は、かかる制御信号に基づいて、第一ＬＥＤ素子１０群、及び第二ＬＥＤ素子２０群の双方に対して供給される電流量を調整する。これにより、集魚灯１から出射される光のスペクトルが調整される。
【００５７】
かかる態様によれば、漁場の地理的な環境や、対象魚の性状に合わせた適切な色味の光を集魚灯１から海面５０に向けて照射することができる。
【００５８】
〈２〉上記の実施形態では、第一ＬＥＤ素子１０及び第二ＬＥＤ素子２０が、いずれも蛍光体を含まない単色のＬＥＤ素子であるものとして説明した。しかし、本発明は、第一ＬＥＤ素子１０及び第二ＬＥＤ素子２０が、蛍光体を含む素子として構成される場合を排除しない。
【００５９】
ただし、第一ＬＥＤ素子１０及び第二ＬＥＤ素子２０が、蛍光体を含む素子として構成される場合、発光スペクトルの半値幅は、図４Ａ及び図４Ｂに図示された例よりは長くなる。この結果、水（海中５１）に対する透過率が高すぎる波長域の光や、逆に水（海中５１）に対する透過率が低すぎる波長域の光が含まれる。このため、光の利用効率を高める観点からは、第一ＬＥＤ素子１０及び第二ＬＥＤ素子２０は単色のＬＥＤ素子で構成するのが好ましい。
【００６０】
〈３〉図２Ｂ及び図３Ａに図示された、各ＬＥＤ素子（１０，２０）の配置個数や配置態様は、あくまで一例である。本発明の集魚灯１が備える各ＬＥＤ素子（１０，２０）は、これらに図示された配置個数や配置態様に限定されない。
【００６１】
ただし、図示されているように、第一ＬＥＤ素子１０の数を、第二ＬＥＤ素子２０の数りも多く配置することで、海霧の発生時に両者を点灯させた際、サンマ５５を海面５０に向けて上昇させる効果がより高められる。なお、各ＬＥＤ素子（１０，２０）の数を変更する代わりに、各ＬＥＤ素子（１０，２０）に対する通電量を変更する等によって、第一ＬＥＤ素子からの第一光Ｌ１の強度を、第二ＬＥＤ素子２０からの第二光Ｌ２の強度よりも高めた場合においても、同様の効果が奏される。ここで、「第一光Ｌ１の強度」、及び「第二光Ｌ２の強度」とは、それぞれ、第一光Ｌ１のピーク波長の最大光強度、第二光Ｌ２のピーク波長の最大光強度とすることができる。
【符号の説明】
【００６２】
１      ：    集魚灯
３      ：    光源部
４      ：    筐体
６      ：    ヒートシンク
７      ：    基板
１０      ：    第一ＬＥＤ素子（群）
２０      ：    第二ＬＥＤ素子（群）
３０      ：    電源部
３１      ：    切換操作部
５０      ：    海面
５１      ：    海中
６１      ：    漁船
６２      ：    網
７０      ：    集魚灯
７１      ：    白色光
８０      ：    集魚灯
【図１Ａ】
2019169451.tif 000004
【図１Ｂ】
2019169451.tif 000005
【図１Ｃ】
2019169451.tif 000006
【図２Ａ】
2019169451.tif 000007
【図２Ｂ】
2019169451.tif 000008
【図３Ａ】
2019169451.tif 000009
【図３Ｂ】
2019169451.tif 000010
【図４Ａ】
2019169451.tif 000011
【図４Ｂ】
2019169451.tif 000012
【図４Ｃ】
2019169451.tif 000013
【図５】
2019169451.tif 000014
【図６】
2019169451.tif 000015
【図７】
2019169451.tif 000016
【図８Ａ】
2019169451.tif 000017
【図８Ｂ】
2019169451.tif 000018